(57)【要約】【課題】  ユーザの意図に沿った装飾種別を決定し装飾線を表示することができ、操作性に優れた文字装飾システム及び文字装飾プログラムを提供せんとする。【解決手段】  ポインティングデバイス３で引かれた線を特定する位置情報を含む操作情報を取得する操作情報取得手段４と、位置情報に基づいて、文字の装飾種別を判定する装飾判定手段６と、装飾種別に従って文字の装飾線を操作画面に表示する装飾表示手段９とを備える。【選択図】図４
2010039573.tif 000002
【特許請求の範囲】
【請求項１】
操作画面に表示される文字をポインティングデバイスで引かれた線により装飾する文字装飾システムであって、
前記線を特定する位置情報を含む操作情報を取得する操作情報取得手段と、
前記位置情報に基づいて、前記文字の装飾種別を判定する装飾判定手段と、
前記装飾種別に従って前記文字の装飾線を前記操作画面に表示する装飾表示手段と、
を備えることを特徴とする文字装飾システム。
【請求項２】
前記位置情報は、前記線の開始位置及び終了位置を含み、
前記装飾判定手段は、前記位置情報から算出された前記開始位置及び前記終了位置の間の直線距離と、前記ポインティングデバイスで引かれた線の長さとに基づき、前記装飾種別を判定する請求項１に記載の文字装飾システム。
【請求項３】
前記操作情報は、前記ポインティングの操作の日時情報をさらに含み、
前記装飾判定手段は、前記位置情報および前記日時情報から算出された操作速度に基づき、前記装飾種別を判定する請求項１または２に記載の文字装飾システム
【請求項４】
前記操作画面の一部又は全部の領域の文字領域情報を取得する文字領域情報取得手段と、
前記文字領域情報及び前記位置情報から前記文字装飾の対象文字を特定する装飾文字特定手段とをさらに備え、
前記装飾表示手段は、前記対象文字に対する前記装飾線を表示する請求項３に記載の文字装飾システム。
【請求項５】
操作画面に表示される文字をポインティングデバイスで引かれた線により装飾する文字装飾プログラムであって、
コンピュータを、
前記線を特定する位置情報を含む操作情報を取得する操作情報取得手段と、
前記位置情報に基づいて、前記文字の装飾種別を判定する装飾判定手段と、
前記装飾種別に従って前記文字の装飾線を前記操作画面に表示する装飾表示手段として機能させることを特徴とする文字装飾プログラム。
【発明の詳細な説明】
【技術分野】
【０００１】
本発明は、操作画面に表示される文字をポインティングデバイスで引かれた線により装飾する文字装飾システム及び文字装飾プログラムに関する。
【背景技術】
【０００２】
従来、コンピュータの操作画面にマウスやペン等のポインティングデバイスを操作して、フリーハンドで線を引き、その操作にしたがって画面表示をしていた。
【０００３】
また、電子書籍表示装置では、記録媒体に記録された書籍データを表示し、画面上をペンでクリックされるとクリックされた座標（開始位置）を検出し、このクリックされた座標が文字の「アセント範囲」に含まれるのか「デセント又はリーディング範囲」に含まれるのかを判定する。クリックされた位置が「アセント範囲」に含まれるときには文字をマーカ表示で装飾し、クリックされた位置が「デセント又はリーディング範囲」に含まれるときにはアンダーライン表示をする（例えば、特許文献１参照。）。
【特許文献１】特開２００１−５８１６号公報
【発明の開示】
【発明が解決しようとする課題】
【０００４】
しかしながら、画面にマウスやペンで線を書くときには、きれいな線が書きにくく、例えば、文字に対してアンダーラインを引くように操作しても、線がうまく引けず、文字に線が重なり見えづらくなることがあった。
【０００５】
このような状態では、電子書籍表示装置のように、クリックされた位置（開始位置）によりマーカ表示やアンダーライン表示などを判断することにより、開始位置を正確に指定する必要があり、開始位置がずれると所望する表示ができなくなり、操作性に劣る。
【０００６】
本発明は、係る問題に鑑み、ユーザの意図に沿った装飾種別を決定し装飾線を表示することができ、操作性に優れた文字装飾システム及び文字装飾プログラムを提供することを目的とする。
【課題を解決するための手段】
【０００７】
本発明に係る文字装飾システムは、操作画面に表示される文字をポインティングデバイスで引かれた線により装飾する文字装飾システムであって、前記線を特定する位置情報を含む操作情報を取得する操作情報取得手段と、前記位置情報に基づいて、前記文字の装飾種別を判定する装飾判定手段と、前記装飾種別に従って前記文字の装飾線を前記操作画面に表示する装飾表示手段とを備えることを特徴とする。
また、本発明に係る文字装飾プログラムは、操作画面に表示される文字をポインティングデバイスで引かれた線により装飾する文字装飾プログラムであって、コンピュータを、前記線を特定する位置情報を含む操作情報を取得する操作情報取得手段と、前記位置情報に基づいて、前記文ｙの装飾種別を判定する装飾判定手段と、前記装飾種別に従って前記文字の装飾線を前記操作画面に表示する装飾表示手段として機能させることを特徴とする。
したがって、ポインティングデバイスで引かれた線の全体で装飾種別を決定することができ、ユーザ操作の意図に応じた装飾線を表示することができる。
【０００８】
また、前記位置情報は、前記線の開始位置及び終了位置を含み、前記装飾判定手段は、前記位置情報から算出された前記開始位置及び前記終了位置の間の直線距離と、前記ポインティングデバイスで引かれた線の長さとに基づき、前記装飾種別を判定してもよい。
【０００９】
また、前記操作情報は、前記ポインティングの操作の日時情報をさらに含み、前記装飾判定手段は、前記位置情報および前記日時情報から算出された操作速度に基づき、前記装飾種別を判定してもよい。
【００１０】
前記操作画面の一部又は全部の領域の文字領域情報を取得する文字領域情報取得手段と、前記文字領域情報及び前記位置情報から前記文字装飾の対象文字を特定する装飾文字特定手段とをさらに備え、前記装飾表示手段は、前記対象文字に対する前記装飾線を表示してもよい。
【発明の効果】
【００１１】
以上にしてなる本発明に係る、文字装飾システム及び文字装飾プログラムは、１つの操作工程で装飾線を領域だけでなく、装飾種別も決定できるため、操作性に優れる。また、ポインティングデバイスで引かれた線の全体で装飾種別を判断するので、ユーザ操作の意図に応じた装飾線を表示することができる。
【発明を実施するための最良の形態】
【００１２】
次に、本発明の実施形態を添付図面に基づき詳細に説明する。
【００１３】
まず、本発明の第１実施形態を説明する。
【００１４】
文字装飾システム１は、図４に示すように、ポインティングデバイス３による操作情報を取得する操作情報取得手段４と、操作情報からポインティングデバイス３で引かれた線を特定する位置情報を取得する位置情報取得手段５と、位置情報取得手段５により取得された位置情報に基づいて文字の装飾種別を判定する装飾判定手段６と、当該装飾判定手段６により判定された装飾種別に従って文字の装飾線を表示部１０の操作画面に表示する装飾表示手段９を備える。文字装飾システム１は、文字装飾プログラム２を端末などのコンピュータＣにインストールすることにより、各手段として機能する。コンピュータＣは、ポインティングデバイス３、表示部１０、及び図示しない処理部、記録部を備え、プログラムに従って演算を行う機械であって、たとえば１つまたは複数の端末で構成されていてもよいし、サーバ・クライアントシステムにおけるサーバおよびクライアント端末で構成されていてもよい。なお、各手段は、ハードウエアで実現されてもよいし、ソフトウエアで実現されてもよい。
【００１５】
上記処理部は、各装置の制御やデータの演算、加工を行うＣＰＵなどであり、記録部は、情報やプログラムなどを記録する装置であって、ハードディスクなどの外部記録装置及び情報を一時的に記録する半導体記録装置などを含む。ポインティングデバイス３は、操作画面上でカーソルを移動させ位置を指定してコンピュータＣを操作する入力機器であって、例えば、マウス、タッチスクリーン、ペンタブレット、トラックパッド、トラックボールである。表示部１０は、操作画面を有し、文字やポインティングデバイス３で引かれた線１３などを操作画面に表示するものである。
【００１６】
操作情報取得手段４は、操作情報の操作内容からポインティングデバイス３で線が引かれたか否かを監視し、ポインティングデバイスで引かれた線（以下、「引かれた線」と称す。）を特定する位置情報を含む操作情報を取得し、取得した操作情報を位置情報取得手段５に送信する。例えば、ボタン解放などの線が引かれたことを示す最終処理が操作内容に含まれていることを検知すると、引かれた線に係る操作情報、つまりボタン押下などの線の引き初めを示す開始処理からボタン開放などの線の引き終わりを示す終了処理までの引かれた線を特定する操作情報を取得し、位置情報取得手段５に送信する。
【００１７】
ここに操作情報とは、ポインティングデバイス３による操作で生成され、例えば、ポインティングデバイス３によるボタン押下、ボタン解放、移動などの位置指定操作で線を引いたことを示す操作内容、当該操作のカーソルの位置や座標などを示す座標情報、操作情報を生成した日時又は当該操作の開始から終了までのカウント時間等を示す日時情報を含む。さらに、操作情報は、例えば、操作が行われた端末を識別する端末識別情報、当該端末のログインユーザを識別するユーザ識別情報を含むことができる。
【００１８】
位置情報取得手段５は、引かれた線に係る操作情報の座標情報から引かれた線１３を特定する位置情報を取得するものであり、本例ではこの位置情報を装飾判定手段６に送信している。ここに引かれた線１３は、軌跡線１３ａ及び仮想線１３ｂを含む。また軌跡線１３ａは、図１（ａ）に示すように、ポインティングデバイス３の位置指定操作の開始から終了までに移動したカーソルの軌跡であり、仮想線１３ｂは、図２に示すように、ポインティングデバイスで指定された開始位置１４ａ及び終了位置１４ｂを直線で結んだ線である。
【００１９】
ここで、引かれた線１３を特定する位置情報とは、引かれた線１３に係る操作情報の座標情報から引かれた線１３を表す式を求め、その式又は式から算出される位置座標などである。なお、引かれた線１３を特定する位置情報は式又は式から算出される位置座標に限定されず、式を求めずに引かれた線１３に係る座標情報であってもよい。
【００２０】
つまり、引かれた線が軌跡線１３ａの場合、軌跡線１３ａを特定する位置情報は、例えばカーソルが移動した座標情報の集合から近似式を求め、この近似式から軌跡線１３ａを表す位置座標を算出することにより取得される。ここで、座標情報は、軌跡線１３ａに係る全ての操作情報の座標情報であってもよいし、軌跡線１３ａに係る操作情報のうち所定間隔ごとに取得した操作情報の座標情報であってもよい。この所定間隔は、操作情報の座標情報を参照し、所定距離ごととすることもできるし、また、操作情報の日時情報を参照し、所定時間ごととすることもできる。また、引かれた線１３が仮想線１３ｂの場合、仮想線１３ｂを特定する位置情報は、例えば開始位置及び終了位置を通る線の式を求め、この式から仮想線１３ｂを表す位置座標を算出することにより取得される。
【００２１】
より具体的には、ポインティングデバイス３のボタンを押下（例えば、マウスにおけるクリック）し、その後ボタン解放（例えば、マウスにおけるリリース）をして線を引いた場合、操作内容がボタン押下である操作情報を特定し、その操作情報の座標情報を開始位置として取得する。また、操作内容がボタン解放ある操作情報を特定し、その操作情報の座標情報を終了位置として取得する。ここで、軌跡線１３ａの場合には、ボタン押下からボタン解放までの操作位置を操作情報の座標情報から取得する。そして、取得した座標情報から式を算出し、式から引かれた線１３の位置情報を得る。この引かれた線を表す位置座標は、開始位置、終了位置、及び開始位置と終了位置との間の任意または所定の位置である。
【００２２】
なお、開始位置及び終了位置の特定はこれに限定されず、例えばこれらは操作情報の日時情報や座標情報などから特定することができる。日時情報で特定する場合、操作情報から座標情報に加えて日時情報を取得し、そして、その日時情報が最も早い日時の操作情報を特定し、その操作情報の座標情報を開始位置の位置情報とする。一方、日時情報が最も遅い日時の操作情報を特定し、その操作情報の座標情報を終了位置の位置情報とする。また、座標情報で特定する場合、操作情報の中から座標情報が最も左端にある（ｘ座標が最も小さい）操作情報を特定し、その操作情報の座標情報を開始位置の位置情報とする。一方、操作情報の中から座標情報が最も右端にある（ｘ座標が最も大きい）操作情報を特定し、その操作情報の座標情報を終了位置の位置情報とする。
【００２３】
装飾判定手段６は、位置情報取得手段５から引かれた線１３を特定する位置情報を受け、文字の装飾種別を判定するものであり、本例では装飾判定手段６が装飾種別判定手段６ａを含み、この装飾種別判定手段６ａで装飾種別が判定されている。具体的には、位置情報から引かれた線の長さＬと、引かれた線の開始位置および終了位置の直線距離Ｓとを求め、これらを比較し、その比較結果と装飾種別との関係を示した式や表などの所定の基準を用いて、線の長さＬと直線距離Ｓとの比較結果から装飾種別を取得する。
【００２４】
ここで、引かれた線１３の長さは引かれた線１３に沿った長さであり、直線距離Ｓは引かれた線の開始位置と終了位置との間の長さである。装飾種別とは、引かれた線１３を装飾線に変換するための規定であって、例えば、直線や波線などの線形状、実線や波線などの線種、線の中央や下線などの位置、色、線幅を含む。装飾線は、文字１５を装飾するために文字１５に付される線であって、引かれた線１３及び装飾種別により決定される。
【００２５】
例えば、図１（ａ）に示すように、ポインティングデバイス３によって線１３が引かれると、装飾判定手段６は、図１（ｂ）に示すように、位置情報が得られた場合、引かれた線１３を特定するｘ座標及びｙ座標からなる位置情報から隣接位置間の距離を算出し、算出した隣接位置間の距離を積算し、引かれた線１３の長さＬを算出する。さらに、引かれた線１３の位置情報に含まれる開始位置１４ａと終了位置１４ｂの座標から直線距離Ｓを算出する。この場合、図１（ｃ）に示すように、引かれた線１３の長さＬが「１２９．１」と算出され、直線距離Ｓが「８０．０」と算出される。
【００２６】
そして、装飾判定手段６は、直線距離Ｓに対する引かれた線１３の長さＬの比率（Ｌ／Ｓ）、引かれた線１３の長さＬから直線距離Ｓを引いた差（Ｌ−Ｓ）により引かれた線１３の長さと直線距離Ｓとを比較する。図１（ｂ）の場合には、図１（ｃ）に示すように、直線距離Ｓに対する引かれた線１３の長さＬの比率（Ｌ／Ｓ）は「１．６」、引かれた線の長さＬから直線距離Ｓの差（Ｌ−Ｓ）は「４９．１」がそれぞれ算出される。
【００２７】
直線距離Ｓに対する引かれた線１３の長さの比率が求められると、比率と装飾種別との関係基準を示す当該比率に対する閾値から、線種や線幅などの装飾種別が決められる。例えば、図５に示すように、直線距離Ｓより引かれた線１３の長さＬが１．２倍長い場合の比率（Ｌ／Ｓ）と、直線距離Ｓより引かれた線１３の長さＬが１．５倍長い場合とを比率（Ｌ／Ｓ）を閾値とする。比率が１．２未満であれば直線の線種の装飾種別が設定され、比率が１．２以上１．５未満であれば波長の長い波線の線種の装飾種別が設定され、比率が１．５以上であれば比率が１．２以上１．５未満のときの波長より短い波長の波線の線種の装飾種別が設定される。
【００２８】
例えば、図７（ｂ）のように、引かれた線１３の長さＬが１００．３、直線距離Ｓが８５の場合、比率は１．１８となり、直線状の装飾種別が決められる。また、図７（ｃ）のように、引かれた線１３の長さＬが１１７．３、直線距離Ｓが８５の場合、比率は１．３８となり、波長の長い波線状の装飾種別が決められる。さらに、図７（ｄ）のように、引かれた線１３の長さＬが１３８．６、直線距離Ｓが８５の場合、比率は１．６３となり、波長の短い波線状の装飾種別が決められる。また、図１の場合、上述のように比率（Ｌ／Ｓ）は１．６となり、波長が短い波線状の装飾種別が決められる。本例では、比率に対する閾値から所定の波線の波長を求めたが、波の計算式を用いて引かれた線の長さおよび直線距離から波線の波長を算出することもできる。
【００２９】
また、装飾判定手段６は、引かれた線１３を特定する位置情報から装飾線の装飾範囲を決定する。装飾範囲は、装飾線を表示する範囲であって、例えば、引かれた線１３の開始位置のｘ座標と終了位置のｘ座標との間とすることもでき、また、引かれた線の開始位置のｘ座標及びｙ座標と、終了位置のｘ座標及びｙ座標との間とすることもでき、さらに、引かれた線を装飾範囲とすることもできる。装飾範囲が引かれた線１３の開始位置のｘ座標と終了位置のｘ座標との間である場合、装飾範囲のｙ座標は所定または任意に決定される。たとえば、装飾範囲の全範囲において、開始位置のｙ座標、終了位置のｙ座標、または開始位置および終了位置の間のｙ座標とすることができる。そして、装飾判定手段６は、決められた装飾種別及び装飾範囲を装飾表示手段９に送信する。
【００３０】
装飾表示手段９は、装飾判定手段６から装飾範囲と装飾種別とを受け、これらに従って文字の装飾線を表示部１０の操作画面に表示するものである。例えば、装飾範囲が、引かれた線１３の開始位置のｘ座標及びｙ座標と終了位置のｘ座標及びｙ座標との間の場合、装飾種別で決められた装飾線を、当該開始位置と終了位置とを結んで表示する。また、装飾範囲が引かれた線１３の場合、装飾種別で決められた装飾線を引かれた線１３の位置に表示する。
【００３１】
次に、図６に基づいて、文字装飾システム１の処理の流れについて説明する。
【００３２】
まず、操作情報取得手段４が操作情報を取得し（Ｓ１）、操作情報の操作内容からポインティングデバイス３で線が引かれたか否かを監視し、ポインティングデバイス３で線が引かれたことを検知する（Ｓ２）と、引かれた線１３に係る操作情報を位置情報取得手段５に送信する。
【００３３】
位置情報取得手段５が、引かれた線１３に係る操作情報を取得し、その操作情報から開始位置１４ａおよび終了位置１４ｂを特定し、また操作情報の座標情報から引かれた線を表す式を算出し、その式から位置座標を引かれた線１３を特定する位置情報として取得する（Ｓ３）。そして、取得すると、位置情報取得手段５は、引かれた線１３を特定する位置情報を装飾判定手段６に送信する。
【００３４】
次に、装飾判定手段６は、位置情報から引かれた線１３の長さＬを算出すると共に、当該引かれた線１３の開始位置１４ａ及び終了位置１４ｂの位置情報から直線距離Ｓを算出し（Ｓ４）、引かれた線１３の長さＬと直線距離Ｓとを比較する（Ｓ５）。そして、装飾種別判定手段６ａは比較結果に基づき装飾種別を判定する（Ｓ６）。また、装飾判定手段６は位置情報から装飾範囲を決定する（Ｓ７）。そして、装飾表示手段９は装飾範囲及び装飾種別を受けて、装飾線を操作画面の装飾範囲に表示する（Ｓ８）。
【００３５】
このように、引かれた線の長さＬと直線距離Ｓとの比較の結果、長さＬが直線距離Ｓに比べて小さいと、長さがＬが直線距離に近い、つまり引かれた線が直線である可能性が高いと判断され、装飾線が直線に表示されるように、装飾種別が判定される。一方、長さＬが直線距離Ｓに比べて長いと、引かれた線が波打っている可能性が高いと判断され、装飾線が波線に表示されるように、装飾種別が判定される。さらに、長さＬが直線距離Ｓより非常に長いと、波線の波数が多い、または波の振幅が大きい可能性が高いと判断され、長さＬと直線距離Ｓとの比較の結果に応じて波線の形状を変えた波線が表示されるように、装飾種別が判定される。このため、引かれた線の全体と直線との関係でユーザの意図を判断し、装飾線を表示することができる。また、引かれた線の全体で判断されることにより、正確に線を引く必要がなく、操作性に優れる。さらに、線を引くという１つの操作で装飾範囲および装飾種別を決定することができ、操作性に優れる。
【００３６】
なお、図７では、直線距離Ｓと引かれた線１３の長さの比率に基づいて、直線状や波線状などの装飾線の線形状を判定したが、比率に基づいて装飾線の線種、線幅、色、位置これらの組み合わせなどの装飾種別を判定することもできる。また、上記実施例では、直線距離に対する引かれた線の長さの比率にも基づいて装飾種別を判定したが、これと同様に、引かれた線の長さと直線距離との差でも装飾種別を判定することができる。
【００３７】
次に、本発明の第２実施形態を説明する。
【００３８】
本実施形態は、引かれた線１３が引かれた際の操作速度に基づいて装飾種別を判定するものであり、操作速度の算出手法としては種々の方法が考えられるが、本例では装飾判定手段６が、位置情報取得手段５から引かれた線を特定する位置情報および操作情報の日時情報を受けて、日時情報から操作時間を算出し、位置情報および操作時間から操作速度を算出する。
【００３９】
位置情報取得手段５は、引かれた線に係る操作情報の座標情報から引かれた線１３を特定する位置情報を取得しながら、操作内容や日時情報、座標情報などにより開始位置及び終了位置を特定する。また、開始位置および終了位置の日時情報を操作情報から取得する。取得した位置情報および日時情報を装飾判定手段６に送信する。
【００４０】
装飾判定手段６は、位置情報取得手段５から引かれた線１３を特定する位置情報と、開始位置および終了位置の日時情報を受け、位置情報および日時情報から操作速度を算出し、この操作速度に基づいて文字の装飾種別を決定する。装飾判定手段６は装飾種別判定手段６ａを含み、この装飾種別判定手段６ａで装飾種別が決められる。この装飾種別は、操作速度と装飾種別との関係を示した式や表などの所定の基準を用いて、操作速度から決定される。
【００４１】
例えば、上記した図１（ａ）に示すように、ポインティングデバイス３によって線１３が引かれると、装飾判定手段６は、図１（ｂ）に示すように、引かれた線１３を特定するｘ座標及びｙ座標からなる位置情報から隣接位置間の距離を算出し、算出した隣接位置間の距離を積算し、引かれた線１３の長さＬが「１２９．１」と算出される。
【００４２】
また、開始位置の日時情報と終了位置の日時情報との差、例えば、２００８年６月２０日ＡＭ１０時５３分３５秒〜２００８年６月２０日ＡＭ１０時５３分４０．５秒までの５．５秒間などから操作時間Ｔを算出する。なお、装飾判定手段６は、日時情報を位置情報と対応付けて位置情報取得手段５から取得し操作時間Ｔは、図１（ｂ）に示すように各位置点の日時情報から隣接位置点間の時間差を算出し、これらを積算し、「５．５０」と算出することもできる。
【００４３】
そして、長さＬおよび操作時間Ｔから図１（ｃ）のように、操作速度（Ｌ／Ｔ）を「２３．５」と算出することもできる。
【００４４】
例えば、操作速度が閾値２０以上では濃色と設定され、閾値２０未満では淡色と設定される。この場合、図６の例のように操作速度が２３．５のときには、図８（ａ）に示すように、淡色のマーカ表示２６ａが決定される。また、図８（ｂ）に示すように、操作速度が１７．９のときには、操作画面２５ｂの装飾範囲に対応する位置への濃色のマーカ表示２６ｂが決定される。なお、装飾種別を操作速度の閾値で決定したが、これに限定されず、例えば操作速度に応じて色の濃淡を変化させることもできる。
【００４５】
また、装飾判定手段６は、第１実施形態で説明したように、引かれた線１３を特定する位置情報から装飾線の装飾範囲を決定する。装飾表示手段９は、装飾判定手段６から装飾範囲と装飾種別とを受け、操作画面２５に装飾線２６を表示する。例えば、図８の場合、装飾範囲に対応する位置を、装飾種別に従い淡色のマーカ表示２６ａ及び濃色のマーカ表示２６ｂで表示する。
【００４６】
本実施形態における文字装飾システム１の処理の流れにおいて、上記実施形態と同様の部分についての説明は省略する。図６におけるステップ３（Ｓ３）において、位置情報取得手段５が、引かれた線１３に係る操作情報を取得し、その操作情報から開始位置１４ａおよび終了位置１４ｂを特定する。そして、操作情報の座標情報から引かれた線を特定する位置情報を取得し、また、開始位置１４ａおよび終了位置１４ｂの操作情報から、これらの日時情報を得て、これらを装飾判定手段６に送信する。装飾判定手段６は、開始位置および終了位置の日時情報から操作時間Ｔを演算すると共に、位置情報から引かれた線１３の長さＬを演算する（Ｓ４）。そして、ステップ５（Ｓ５）において、引かれた線１３の長さＬと操作時間Ｔとから操作速度（Ｌ／Ｔ）を算出する（Ｓ５）。さらに、ステップ６（Ｓ６）において、装飾判定手段６が、操作速度（Ｌ／Ｔ）に基づき装飾種別を判定する（Ｓ６）。また、装飾判定手段６は、引かれた線を特定する位置情報から装飾範囲を決定する（Ｓ７）。そして、装飾表示手段９は、装飾範囲及び装飾種別を受けて、装飾線を装飾範囲に表示する（Ｓ８）。
【００４７】
このように、操作速度が小さいと、ポインティングデバイスのカーソルの動きが遅いので、例えば、カーソルをペンと見立てた場合、ペンの接触時間が長く、インクの供給量が多くなる可能性が高いと判断され、装飾線の色が濃く表示されるように、装飾種別が判定される。一方、操作速度が小さいと、ポインティングデバイスのカーソルの動きが速いので、例えば、カーソルをペンと見立てた場合、ペンの接触時間が短く、インクの供給量が少なくなる可能性が高いと判断され、装飾線の色が淡く表示されるように、装飾種別が判定される。このため、引かれた線の全体の長さおよび時間の関係でユーザの意図を判断し、装飾線を表示することができる。また、引かれた線の全体で判断されることにより、正確に線を引く必要がなく、操作性に優れる。さらに、線を引くという１つの操作で装飾範囲および装飾種別を決定することができ、操作性に優れる。
【００４８】
その他の構成、変形例については、基本的に上記実施形態と同じであるので、その説明を省略する。
【００４９】
尚、上記実施例では速度により色の濃淡を判定したが、これに限定されず、速度に応じて装飾線の線形状、線種、線幅、位置、これらの組合せなどの装飾種別を判定できる。
【００５０】
次に、本発明の第３実施形態を説明する。
【００５１】
本実施形態では、引かれた線１３がガイド線を通過した回数に基づいて装飾種別を判定する。ガイド線は、たとえば、引かれた線１３の開始位置と終了位置とを結んだ直線、後述する文字記載領域１６ａの下限１６ｃ、文字記載領域１６ａの上限１６ｄと下限１６ｃの中央、これらの組合せである。
【００５２】
引かれた線１３の開始位置と終了位置とを結んだ直線をガイド線として設けた場合、装飾判定手段６は、位置情報取得手段５から得た位置情報のうちの開始位置及び終了位置からこれらを結ぶ直線の式を求める。この直線の式を用いて位置情報の位置座標のｘ座標からそれに対応する直線のｙ座標を算出し、直線のｙ座標と位置座標のｙ座標とを比べ、位置座標が直線より上に位置するか下に位置するかを判断する。次の位置座標についても同様にする。そして、先の位置座標が直線の上にあるときに次の位置座標が下にあると、引かれた線１３はガイド線を通過したと判定する。反対も同様である。この判定を続けて、引かれた線１３がガイド線を通過した回数を算出する。その回数が所定数以上であれば、波線とする装飾種別を決定し、一方、所定数未満であれば、直線とする装飾種別を決定する。図１（ａ）の例では、ガイド線を通過する回数は３回となる。
【００５３】
このように、たとえば引かれた線がガイド線を通過した回数が少ないと、引かれた線が波打っている可能性が低いと判断され、装飾線が直線で表示されるように、装飾種別が判定される。一方、引かれた線がガイド線を通過した回数が多いと、引かれた線が波打っている可能性が高いと判断され、装飾線が破線で表示されるように、装飾種別が判定される。このため、引かれた線の全体で判断されることにより、正確に線を引く必要がなく、操作性に優れる。さらに、線を引くという１つの操作で装飾範囲および装飾種別を決定することができ、操作性に優れる。
【００５４】
その他の構成、変形例については、基本的に上記の実施形態と同じであるので、その説明を省略する。なお、上記実施例ではガイド線通過回数に応じて直線や波線などの線形状を判定したが、これに限定されず、下限などの通過回数に応じて装飾線の色、線種、線幅、位置、これらの組合せなどの装飾種別を判定できる。
【００５５】
上記各実施形態では、装飾範囲を引かれた線の位置情報から求め、引かれた線自体や、開始位置および終了位置の間などを装飾範囲として決定したが、文字領域情報および位置情報から装飾文字の対象文字を特定し、その対象文字を装飾範囲としてもよい。
【００５６】
対象文字とは、操作画面に表示された文字のうち、装飾線で装飾される文字である。例えば、引かれた線１３と操作画面上の文字との位置関係で判断され、引かれた線１３のｘ方向の範囲に含まれる文字を装飾の対象とすることもできるし、また、文字の幅の中に引かれた線が含まれる文字を装飾の対象とすることもできる。さらに、引かれた線１３との関係は文字単位で判断することもできるし、文字の組み合わせである単語で判断することもできる。単語で判断する場合は、辞書などを参照して文字から単語を特定する単語特定部を有する。
【００５７】
具体的には、図９に示すように、文字装飾システム１は、表示部１０に表示された操作画面の情報を取得する操作画面情報取得手段７と、操作画面の一部又は全部の領域の操作画面情報から文字領域情報を取得する文字領域情報取得手段８とをさらに備る。装飾判定手段６が装飾種別判定手段６ａと装飾文字特定手段６ｂを含み、装飾種別判定手段６ａによって装飾種別を判定するとともに、装飾文字特定手段６ｂによって文字装飾の対象文字を特定する。また、操作情報取得手段４は、線が引かれたことを示す最終処理が操作内容に含まれていることを検知すると、引かれた線に係る操作情報を位置情報取得手段５に送信するとともに検知した旨を操作画面情報取得手段７に送信する。
【００５８】
操作画面情報取得手段７は、例えば上述の操作情報取得手段４から線が引かれたことを検知した旨を受けて、表示部１０から操作画面情報を取得するものであり、本例では取得した操作画面情報を文字領域情報取得手段８に送信している。ここに操作画面情報とは、表示部１０の操作画面に表示されている画像のデータ、日時情報などを含み、ユーザ識別情報、端末識別情報や位置情報などを含むことができる。
【００５９】
文字領域情報取得手段８は、操作画面情報取得手段７から操作画面情報を受けて、操作画面の一部又は全部の領域の文字領域情報を取得するものであり、本例では取得した文字領域情報を装飾判定手段６に送信している。
【００６０】
ここで、文字領域情報は、図３に示すように、操作画面に表示されている文字１５を示す文字情報、一連の文字が並ぶ領域を示す文字記載領域１６ａの情報（以下、「文字記載領域情報」と称す。）を有する。文字情報は、操作画面情報をパターン認識などの方法で解析することにより特定され、操作画面に表示されている文字、当該文字の表示位置などを含む。この文字１５は、ひらがな、漢字、アルファベットなど言葉を表記するものだけでなく、数字や記号なども含む。表示位置は、文字１５の下端位置、上端位置、右端位置及び左端位置を含み、右端位置及び左端位置の差から文字幅１６ｅが得られる。文字記載領域１６ａは、文字情報から特定される。例えば、文字情報の表示位置から隣り合う文字の間隔を算出し、文字間隔が所定値より小さい場合、隣り合う文字は一連に並ぶものと判断し、これらの文字の領域を文字記載領域と特定する。また、文字記載領域情報は、文字記載領域の下限を示す下限１６ｃ、上限を示す上限１６ｄ、右端を示す右縁１６ｇ、左端を示す左縁１６ｆを含み、これらはそれぞれ、文字記載領域に含まれる文字の上端位置、下限位置、右端位置及び左端位置から得られる。
【００６１】
また、装飾文字特定手段６ｂは、位置情報取得手段５から引かれた線１３を特定する位置情報と、文字領域情報取得手段８から文字領域情報とを受けて、これらから文字装飾の対象文字を特定し、この対象文字を装飾範囲として装飾表示手段９に送る。すわなち、引かれた線１３を特定する位置情報から開始位置１４ａのｘ座標および終了位置１４ｂのｘ座標を取得し、これらの間を装飾対象領域とする。そして、この装飾対象領域と文字領域情報に含まれる各文字の表示位置の左端位置および右端位置のｘ座標とを比較して、装飾対象領域に相当する文字を対象文字とし、該対象文字を装飾範囲として特定する。
【００６２】
より具体的には、図１１（ａ）に示すように、引かれた線を特定する位置情報から取得した開始位置のｘ座標２６．５および終了位置のｘ座標１０５．５５の間を装飾対象領域として、この装飾対象領域と文字領域情報に含まれる「あ」「い」「う」「え」「お」「か」の表示位置の左端位置および右端位置のｘ座標とを比較する。この場合、「い」「う」「え」「お」の各文字の左端位置および右端位置は装飾対象領域に含まれているため、文字幅に占める引かれた線の比率は１００％である。これに対して、「あ」の左端位置は１８であり、右端位置３５であるため、その比率は５０％であり、「か」の左端位置は１０３であり、右端位置は１２０であるため、その比率は１５％である。このとき、対象文字とするか否かの判断基準を４０％としたときには、「あ」「い」「う」「え」「お」が対象文字として特定される。そして、対象文字の幅Ｍ、つまり対象文字の表示位置の左端位置ｘ座標と右端位置のｘ座標との間を装飾範囲として、装飾表示手段９に送る。なお、装飾範囲のｙ座標は所定または任意に決定される。たとえば、装飾範囲の全範囲において、開始位置のｙ座標、終了位置のｙ座標、開始位置および終了位置の間のｙ座標とすることができる。また、対象文字の文字記載領域、つまり文字記載領域の上限と下限との間とすることもでき、さらに装飾種別で下線と設定されている場合には、文字記載領域の下限位置とすることもできる。
【００６３】
また、装飾表示手段９は、装飾判定手段６から装飾種別と装飾範囲とを受けて、装飾対象である対象文字の幅Ｍにわたって装飾線１７を表示する。例えば、図１１（ａ）の場合には、対象文字として特定された「あ」〜「お」の全域の文字記載領域１６ａを、操作速度に基づいて判定した装飾種別の濃淡のマーカ表示２６で表示する。具体的には、操作速度が閾値２０以上では濃色とし、閾値２０未満では淡色とする。この場合、図１１（ａ）のように線１３を引いたときの操作速度が２３．５のときには、図１１（ｂ）に示すように、淡色のマーカ表示１７ｂが決定され、対象文字の幅Ｍにわたって操作画面２５ｂに表示される。また、操作速度が１７．９のときには、図１１（ｃ）に示すように、濃色のマーカ表示１７ｃが決定され、対象文字の幅Ｍにわたって操作画面２５ｃに表示される。
【００６４】
次に、図１０に基づいて文字装飾システム１の処理の流れについて説明する。なお、ステップ１１（Ｓ１１）、ステップ１２（Ｓ１２）及びステップ１５（Ｓ１５）は、上記実施形態の図６のステップ１（Ｓ１）、ステップ２（Ｓ２）及びステップ３（Ｓ３）のそれぞれと同様であるので説明を省略する。
【００６５】
ステップ１２（Ｓ１２）において、操作情報取得手段４がポインティングデバイス３で線が引かれたことを検知すると、引かれた線１３に係る操作情報を位置情報取得手段５に送信し、また操作画面情報取得手段７に検知した旨を送信する。操作画面情報取得手段７は、操作情報取得手段４の引かれた線１３の検知を受け、それに基づいて表示部１０の操作画面に表示された画像イメージの操作画面情報を取得し（Ｓ１３）、操作画面情報を文字領域情報取得手段８に送信する。
【００６６】
次に、文字領域情報取得手段８が、操作画面情報取得手段７から操作画面の操作画面情報を取得し、操作画面情報から文字領域情報を取得する（Ｓ１４）。つまり、図３に示すように、操作画面情報から文字１５を特定して、その文字幅１６ｅなどの文字情報を取得し、文字情報から文字記載領域１６ａを特定して、文字記載領域情報を取得する。そして、文字記載領域情報を装飾判定手段６に送信する。
【００６７】
次に、装飾文字特定手段６ｂは、引かれた線を特定する位置情報および文字領域情報を受けて、これらから対象文字を特定し、装飾判定手段６はこの対象文字を装飾範囲として決定する（Ｓ１６）。そして、装飾判定手段６は、位置情報取得手段５によって取得された開始位置及び終了位置の日時情報に基づきポインティングデバイス３を操作して線を引くときの開始位置から終了位置までの操作時間Ｔを演算すると共に、位置情報から引かれた線１３の長さＬを演算し（Ｓ１７）、操作速度（Ｌ／Ｔ）を算出する（Ｓ１８）。さらに、装飾種別判定手段６ａが、操作速度（Ｌ／Ｔ）及び装飾種別を規定して所定基準に基づき操作速度から装飾種別を判定する（Ｓ１９）。そして、装飾表示手段９は装飾判定手段６から装飾範囲及び装飾種別を受けて、装飾線を操作画面の装飾範囲に表示する（Ｓ２０）。
【００６８】
このように、対象文字を装飾範囲として特定すると、文字単位で装飾したい場合に、ユーザの意図に沿った装飾線を装飾すべき文字に付すことができ、また、ユーザは正確に装飾する文字を指定する必要がないので、操作性に優れる。
【００６９】
上記実施形態では、文字の特定に操作画面情報のパターン認識など公知の方法を用いたが、これに限定されず、例えば、白でない部分を文字として特定することもできる。この場合、色の判断で文字を特定できるため、特定方法が容易である。また、上記実施形態では、隣り合う文字１５の間隔から文字記載領域１６ａを特定したが、これに限定されない。例えば、図１２に示すように引かれた線１３から所定範囲の領域Ｗの色を検出し、その領域の中で色が黒である範囲Ａ１は文字記載領域と判定し、黒でない範囲Ａ２は文字記載領域でないと判定する。色が黒である範囲Ａ１については、例えば、ｘ軸方向（紙面の横方向）の左側から右側に領域Ｗの色が黒か否かを判断し、黒と判断された位置Ｐ１から次の黒と判断された位置Ｐ２までを黒である範囲Ａ１とし、さらに先の位置Ｐ２から次の黒と判断された位置Ｐ３までを黒である範囲Ａ１に加える。これを繰り返して、黒と判断された位置Ｐ４，…，Ｐｎ，…，Ｐｚを検出し、黒と判断された最初の位置Ｐ１から最後の位置Ｐｚの範囲Ａ１を特定して文字記載領域とする。
【００７０】
上記実施形態では、操作画面情報取得手段７から取得した操作画面情報に基づいて文字領域情報を文字領域情報取得手段８は取得したが、これに限定されず、例えばワープロソフトの設定条件などの付属情報から操作画面の文字領域情報を取得することもできる。また、上記実施形態では、操作情報取得手段４が操作画面情報取得手段７に線が引かれたことを検知した旨を送信し、操作画面情報取得手段７がこれを受け、表示部１０の操作画面の全部に表示された画像イメージの操作画面情報を取得したが、これに限定されない。例えば、操作情報取得手段４でなく、位置情報取得手段５が引かれた線を特定する位置情報を操作画面情報取得手段７に送信し、操作画面情報取得手段７がこれを受けて、位置情報から引かれた線に対応する操作画面の位置を特定し、この位置を含む操作画面の一部に表示された画像イメージの操作画面情報を取得することもできる。なお、上記実施形態では、文字記載領域が横書きの場合であるが、文字記載領域が縦書きの場合も同様である。
【００７１】
以上、本発明の実施形態について説明したが、本発明はこうした実施例に何ら限定されるものではなく、本発明の要旨を逸脱しない範囲において種々なる形態で実施し得ることは勿論である。また、上述の全実施形態における装飾判定手段６による装飾種別の判定を組み合わせて装飾種別を決定することも勿論可能である。これにより、１つの操作工程や判断結果で複数の装飾種別を判断することができる。例えば、引かれた線の長さＬと直線距離Ｓとの比較結果（Ｌ／Ｓ）と、引かれた線の長さＬと操作時間Ｔとに基づく操作速度（Ｌ／Ｔ）とを組み合わせて装飾種別を判定する場合、比較結果（Ｌ／Ｓ）から線形状を判断し、操作速度（Ｌ／Ｔ）から線の濃淡を判断する。これにより、一度引かれた線で複数の装飾種別を同時に決定することができる。また、比較結果（Ｌ／Ｓ）や操作速度（Ｌ／Ｔ）などとユーザが直感的に認識し易い関係であるため、ユーザの意図に沿って装飾線を表示できると共に、操作性に優れる。
【００７２】
また、上述の実施形態では、文字装飾システム１及び文字装飾プログラム２は、上記各手段、及びポインティングデバイス３、表示部１０等を１台のコンピュータに備えていたが、複数台のコンピュータによって構成してもよい。例えば、単又は複数のクライアントコンピュータとサーバコンピュータとをネットワークを介して通信可能に構成し、サーバコンピュータが操作情報取得手段、位置情報取得手段、操作画面情報取得手段、文字領域情報取得手段、装飾判定手段などを備えており、操作情報取得手段により取得されるクライアントコンピュータのポインティングデバイスの操作情報と、操作画面情報取得手段により取得される表示部の操作画面情報とに基づき、位置情報取得手段がサーバコンピュータにて位置情報を取得すると共に、文字領域情報取得手段により文字領域情報を取得し、装飾判定手段によって装飾種別を判定してもよい。
【図面の簡単な説明】
【００７３】
【図１】ポインティングデバイスで引かれた線についての説明図。
【図２】ポインティングデバイスで引かれた線についての説明図。
【図３】文字領域情報についての説明図。
【図４】本発明の第１実施形態に係る文字装飾システムのブロック図。
【図５】装飾種別の判定基準についての説明図。
【図６】フロー図。
【図７】第１実施形態に係る画面の説明図。
【図８】画面の説明図。
【図９】文字装飾システムのブロック図。
【図１０】フロー図。
【図１１】画面の説明図。
【図１２】文字記載領域と文字記載領域でない領域の判定についての説明図。
【符号の説明】
【００７４】
１    文字装飾システム
２    文字装飾プログラム
３    ポインティングデバイス
４    操作情報取得手段
５    位置情報取得手段
６    装飾判定手段
６ａ  装飾種別判定手段
６ｂ  装飾文字特定手段
７    操作画面情報取得手段
８    文字領域情報取得手段
９    装飾表示手段
１０    表示部
１３  ポインティングデバイスで引かれた線
１３ａ  軌跡線
１３ｂ  仮想線
１４    ポインティングデバイスで指示された点
１５    文字
１６ａ  文字記載領域
１６ｃ  下限
１６ｄ  上限
１６ｅ  文字幅
１６ｆ  左縁
１６ｇ  右縁
１７    装飾線
１９ａ  開始位置
１９ｂ  終了位置
２５    操作画面
２６    マーカ表示
３５    右端位置
Ａ１    領域の中で色が黒である範囲
Ａ２    領域の中で色が黒でない範囲
Ｃ    コンピュータ
Ｍ    対象文字の文字列の幅
Ｐ    黒と判断された位置
Ｓ    直線距離
Ｔ    操作時間
Ｗ    所定の領域
【図１】
2010039573.tif 000003
【図２】
2010039573.tif 000004
【図３】
2010039573.tif 000005
【図４】
2010039573.tif 000006
【図５】
2010039573.tif 000007
【図６】
2010039573.tif 000008
【図７】
2010039573.tif 000009
【図８】
2010039573.tif 000010
【図９】
2010039573.tif 000011
【図１０】
2010039573.tif 000012
【図１１】
2010039573.tif 000013
【図１２】
2010039573.tif 000014